(57)【要約】      （修正有）【課題】非常時に頭部と頚部を守る防災頭巾に容易に転用できるポーチ兼用防災頭巾を提供する。【解決手段】内部に仕切り５があり、ポーチ本体開口部、ポーチ本体側辺部、ポーチ本体底辺部の三方に連続する線ファスナーＡ、Ｂ、Ｃを取り付ける。緊急時に線ファスナーを全開にすると、仕切り部分を引き上げることにより内部の仕切りとポーチ本体は一体となり、頭部と頸部を覆う防災頭巾として使用できる。キルティング地などの厚手防護効果のある素材と耐久性のある素材と重ねて使用することにより、ポーチとしての機能と防災頭巾としての機能を兼ね備える。【選択図】図３
0003182418.tif 000002
【実用新案登録請求の範囲】
【請求項１】
女性の使用頻度の高い化粧品などを入れるポーチを緊急避難時に防災頭巾として利用できるよう、ポーチ本体の三方に連続する線ファスナーを取付けたことを特徴とする。
【請求項２】
ポーチ内は、２つに仕切られており、普段は小物を分類して入れることができる、緊急時に線ファスナーを全開すると、仕切りとポーチ本体は、一体となり、防災頭巾として使用できる形になる特徴がある。〔選択図〕図２図３図４図５図６図７
【請求項３】
平常時ポーチ本体の外形は小さいが、緊急時に線ファスナーを全開して防災頭巾として使用する際、頭部と頸部を覆えるサイズになる特徴がある。
【請求項４】
四角形の１枚の布で縫製する構造を特徴とする、学校での防災教育の実習教材になる。
【考案の詳細な説明】
【技術分野】
【０００１】本発明は生活必要品の分野に属し、詳しくはポーチが防災頭巾に転用できる技術に関する。
【背景技術】
【０００２】災害が発生した後、避難する時使用する物が防災頭巾を兼ね備えた発明は、多数あるものの災害発生は、何時何処で起こるかわからない、在宅中ならば身を守る手段は沢山あるが、外出中の場合は限られる。普段外出中に持ち歩くことが多い生活必需品が防災に役立つ発明は限られている。これらの既存の発明は、「特許文献１」や「特許文献２」に開示されているように、ショッピングバッグや手提げ鞄などの比較的大きい荷物の発明である。女性は、日常生活で大きな荷物を持ち歩くことは少なく、ポーチなどの小物入れが、頭を守る防災頭巾に容易に利用できる発明は、極めて有用である。
【先行技術文献】
【特許文献】
【０００３】
【特許文献１】特開２００７−０３７６０２号
【特許文献２】特開平０８−２５６８１３号
【考案の概要】
【考案が解決しようとする課題】
【０００４】化粧品などを入れて持ち歩く小物入れやポーチなどは、サイズが限られている。ポーチが、頭部ないし頸部を覆える大きさの防災頭巾に利用するには新たな構造上の発明が必要である。そして、頭部ないし頸部を守るため防護効果のある素材が使用可能な構造上の発明と誰でも容易に使用できる発明が必要である。
【課題を解決するための手段】
【０００５】ポーチ兼用防災頭巾は、内部に仕切りがあり、平常時化粧品などを入れて持ち歩くポーチである。〔選択図〕図２図３【０００６】ポーチ本体の３方向に取り付けた連続する線ファスナーを緊急時に全開すると、内部の仕切りとポーチ本体は、一体となり、頭部と頸部を覆う防災頭巾として使用できる形になる。〔選択図〕図１図４図５図６図７【０００７】ポーチ本体の開口部、第１側辺部、底辺部の３方を連続する線ファスナーで開閉する構造は、緊急時防災頭巾として使用する時、容易に広げて使用できる。〔選択図〕図４図５図６図７【０００８】四角形の１枚の布で縫製できる構造なので、キルティング地などの厚手防護効果のある素材が利用できる。
【考案の効果】
【０００９】多くの女性が持ち歩く化粧品などを入れるカラフルなポーチが防災頭巾になる。
【図面の簡単な説明】
【００１０】
【図１】図１は、緊急時防災頭巾として使用している状態を説明する図である。
【図２】図２は、平常時ポーチとして使用している状態を説明する図である。
【図３】図３は、ポーチの本体の線ファスナーのスライダーを移動して開口部分を広げてポーチ内部の仕切り部分を説明する図である。
【図４】図４は、ポーチ本体の側部１の部分まで線ファスナーのスライダーを移動してポーチ内部の仕切り部分を説明する図である。
【図５】図５は、ポーチ本体の底部の線ファスナーの下止め位置までスライダーを移動してポーチ内部の仕切り部分を説明する図である。
【図６】図６は、線ファスナーを下止め位置までスライダーを移動してポーチ本体の外装部分を説明する図である。
【図７】図７は、緊急時防災頭巾として使用するポーチの状態を説明する図である。
【考案を実施するための形態】
【００１１】ポーチ兼用防災頭巾は、開口内部には仕切りがあるポーチで、平常時は化粧品などを整理して入れるのに便利である。〔選択図〕図２図３
【００１２】ポーチ内部の仕切りは、側部１を開口部とする袋状になっているため平常時は使わない使用者の住所・氏名・血液型などの情報を記録したカードなどの小物の防災グッズを仕切り内部に収納できる。〔選択図〕図４
【００１３】ポーチ内部にはあらかじめ紐が取り付けられており、緊急時防災頭巾として使用する時は顎紐として使用する。〔選択図〕図３図４
【００１４】線ファスナーは、ポーチ本体開口部Ａから始まり、ポーチ本体第１側辺部を通り、ポーチ本体底辺部Ｃに至る連続する線ファスナーである。緊急時防災頭巾として使用する時、線ファスナーをＡからＣまで全開すると、ポーチ内部の仕切りが広がりポーチ本体と一体となり、頭部と頸部を覆う大きさの防災頭巾になる。〔選択図〕図２図３図４図５図６図７
【００１５】四角形の１枚の布で縫製できる構造なので、キルティング地などの厚手の素材が利用しやすく、目的に応じて表地に防炎素材を使用したり、裏地にクッション素材を使用できる。
【実施例１】
【００１６】ポーチ兼用防災頭巾は、容易に他のショルダーバッグなどに入れて持ち歩くことができる。〔選択図〕図２
【実施例２】
【００１７】四角形の１枚の布を縫製する簡単な構造なので、学校などで防災教育の実習教材に利用できる。
【符号の説明】
【００１８】１  ポーチ本体開口部
２  ポーチ本体底辺部
３  ポーチ本体第１側辺部
４  ポーチ本体第２側辺部
５  ポーチ内部の仕切り上辺部
６  ポーチ内部の仕切り第１側辺部
７  紐（非常時は顎紐として使用）
Ａ  線ファスナーの上止めの位置
Ｂ  線ファスナーのスダイダーの位置
Ｃ  線ファスナーの下止めの位置
【図１】
0003182418.tif 000003
【図２】
0003182418.tif 000004
【図３】
0003182418.tif 000005
【図４】
0003182418.tif 000006
【図５】
0003182418.tif 000007
【図６】
0003182418.tif 000008
【図７】
0003182418.tif 000009
【手続補正書】
【提出日】平成25年1月10日(2013.1.10)
【手続補正１】
【補正対象書類名】明細書
【補正対象項目名】全文
【補正方法】変更
【補正の内容】
【考案の詳細な説明】
【技術分野】
【０００１】本発明は生活必要品の分野に属し、詳しくはポーチが防災頭巾に転用できる技術に関する。
【背景技術】
【０００２】災害が発生した後、避難する時使用する物が防災頭巾を兼ね備えた発明は、多数あるものの災害発生は、何時何処で起こるかわからない、在宅中ならば身を守る手段は沢山あるが、外出中の場合は限られる。普段外出中に持ち歩くことが多い生活必需品が防災に役立つ発明は限られている。これらの既存の発明は、「特許文献１」や「特許文献２」に開示されているように、ショッピングバッグや手提げ鞄などの比較的大きい荷物の発明である。日常生活で大きな荷物を持ち歩くことは少なく、ポーチなどの小物入れが頭を守る防災頭巾に容易に利用できる発明は、極めて有用である。
【先行技術文献】
【特許文献】
【０００３】
【特許文献１】特開２００７−０３７６０２号
【特許文献２】特開平０８−２５６８１３号
【考案の概要】
【考案が解決しようとする課題】
【０００４】日常生活で持ち歩く小物入れやポーチなどは、サイズが限られている。ポーチが、頭部ないし頸部を覆える大きさの防災頭巾に利用するには新たな構造上の発明が必要である。そして、頭部ないし頸部を守るため防護効果のある素材が使用可能な構造上の発明と、誰でも容易に使用できる発明が必要である。
【課題を解決するための手段】
【０００５】ポーチ兼用防災頭巾は、防災頭巾として使用する時の防災頭巾の頭頂部を中に折り込んで、その折り込んだ部分がポーチとして使用する時のポーチ内部の仕切りに利用できる構造に特徴がある。【０００６】ポーチ兼用防災頭巾は、防災頭巾として使用する時の防災頭巾頭頂部を２の部分まで中に折り込み、その部分がポーチ本体底辺部になる。〔選択図〕７【０００７】ポーチ兼用防災頭巾は、防災頭巾として使用する時の防災頭巾が肩に掛かる部分が、ポーチと使用する時のポーチ本体開口部になる。【０００８】ポーチ兼用防災頭巾は、ポーチと使用する時のポーチ本体開口部、ポーチ本体第１側辺部、ポーチ本体底辺部の三方に連続する線ファスナーを取付ける。〔選択図〕２【０００９】ポーチ兼用防災頭巾は、ポーチと使用する時のポーチ本体開口部、ポーチ本体第１側辺部、ポーチ本体底辺部の三方に連続する線ファスナーを閉じることによって、ポーチとしての形状が保たれる。〔選択図〕２【００１０】ポーチ兼用防災頭巾をポーチとして使用する時は、ポーチ本体開口部の線ファスナーを  スライダーで開閉してポーチ内の小物の出し入れができる。〔選択図〕３【００１１】ポーチ兼用防災頭巾をポーチとして使用する時は、ポーチ本体内部に防災頭巾として使用する時の頭頂部が仕切りになり、小物の整理ができる。〔選択図〕３【００１２】ポーチ兼用防災頭巾は、緊急時防災頭巾として使用するときは、ポーチと使用する時のポーチ本体開口部、ポーチ本体第１側辺部、ポーチ本体底辺部の三方に連続する線ファスナーを全開し、仕切り部分を引き上げることにより内部の仕切りとポーチ本体は一体となり、頭部と頸部を覆う防災頭巾として使用できる形になる。〔選択図〕４５６【００１３】ポーチ兼用防災頭巾は、キルティング地などの厚手防護効果のある素材と耐久性のある素材を重ねて使用することにより、ポーチとしての機能と防災頭巾としての機能を兼ね備える。
【考案の効果】
【００１４】多くの女性が持ち歩く化粧品などを入れるカラフルなポーチが防災頭巾になる。
【図面の簡単な説明】
【００１５】
【図１】図１は、防災頭巾としてポーチ兼用防災頭巾を使用している状態を説明する図である。
【図２】図２は、ポーチとしてポーチ兼用防災頭巾を使用している状態を説明する図である。
【図３】図３は、ポーチとしてポーチ兼用防災頭巾を使用している時、ポーチの本体の線ファスナーのスライダーを移動して開口部分を広げてポーチ内部の仕切り部分を説明する図である。
【図４】図４は、ポーチとしてポーチ兼用防災頭巾を使用している時、ポーチ本体の側部１の部分まで線ファスナーのスライダーを移動してポーチ内部の仕切り部分を説明する図である。
【図５】図５は、ポーチとしてポーチ兼用防災頭巾を使用している時、ポーチ本体の底部の線ファスナーの下止め位置までスライダーを移動してポーチ内部の仕切り部分を説明する図である。
【図６】図６は、線ファスナーを下止め位置までスライダーを移動してポーチ本体の外装部分を説明する図である。
【図７】図７は、防災頭巾としてポーチ兼用防災頭巾を使用している状態を説明する図である。
【考案を実施するための形態】
【００１６】ポーチ兼用防災頭巾は、ポーチとして使用する時、ポーチ開口内部には仕切りがあるので、化粧品などを整理して入れるのに便利である。〔選択図〕図２図３
【００１７】ポーチ兼用防災頭巾は、ポーチとして使用する時、ポーチ内部の仕切りは、側部１を開口部とする袋状になっているため平常時は使わない使用者の住所・氏名・血液型などの情報を記録したカードなどの小物の防災グッズを仕切り内部に収納できる。〔選択図〕図４
【００１８】ポーチ兼用防災頭巾、ポーチとして使用する時、ポーチ内部にはあらかじめ紐が取り付けられており、緊急時防災頭巾として使用する時は顎紐として使用できる。〔選択図〕図３図４
【００１９】ポーチ兼用防災頭巾は、キルティング地などの厚手の素材が利用しやすく、目的に応じて表地に防炎素材を使用したり、裏地にクッション素材を使用できる。
【実施例１】
【００２０】ポーチ兼用防災頭巾は、容易に他のショルダーバッグなどに入れて持ち歩くことができる。〔選択図〕図２
【実施例２】
【００２１】ポーチ兼用防災頭巾は、四角形の１枚の布を縫製する簡単な構造なので、学校などで防災教育の実習教材に利用できる。
【符号の説明】
【００２２】１ポーチ本体開口部（防災頭巾が肩に掛かる部分）
２ポーチ本体底辺部
３ポーチ本体第１側辺部
４ポーチ本体第２側辺部
５ポーチ内部の仕切り上辺部（防災頭巾頭頂部）
６ポーチ内部の仕切り第１側辺部
７紐（非常時は顎紐として使用）
Ａ線ファスナーの上止めの位置
Ｂ線ファスナーのスダイダーの位置
Ｃ線ファスナーの下止めの位置
【手続補正２】
【補正対象書類名】実用新案登録請求の範囲
【補正対象項目名】全文
【補正方法】変更
【補正の内容】
【実用新案登録請求の範囲】
【請求項１】
防災頭巾として使用する防災頭巾頭頂部を折り込んで、その折り込んだ部分がポーチと使用する時、ポーチの中仕切部分になる構造を特徴とするポーチ兼用防災頭巾。
【請求項２】
ポーチとして使用するポーチ本体開口部、ポーチ本体第１側辺部、ポーチ本体底辺部の三方に連続する線ファスナーを取付けた構造を特徴とする請求項１記載のポーチ兼用防災頭巾。
【請求項３】
ポーチとして使用する時は、連続する線ファスナーを閉じることによりポーチとしての形になる構造を特徴とする請求項１記載のポーチ兼用防災頭巾。
【請求項４】
ポーチとして使用するポーチ本体は、防災頭巾として使用する時、連続する線ファスナーを全開し、仕切り部分を引き上げることにより仕切り部分が防災頭巾の頭頂部になり、頭部と頸部を覆えるサイズの防災頭巾として使用できる形になる構造を特徴とする請求項１記載のポーチ兼用防災頭巾。